(57)【要約】【課題】マークを付したい原稿のみに、処理済みを示すマークを原稿に付すことができるようにし、原稿読取装置の製造コストを抑える。【解決手段】画像形成装置は、原稿読取装置、記憶部、印刷部、用紙読取部、制御部を含む。制御部は、読取画像データに基づく比較用画像データを記憶部に記憶させる。マーク印刷モードのとき、制御部は搬送用紙を用紙読取部に読み取らせる。読み取りで搬送用紙画像データと比較用画像データに基づき、制御部は、搬送用紙が、処理済原稿と対応しているか否かを判定する。処理済原稿と判定したとき、制御部は、搬送用紙への処理済マークの印刷を画像形成部に行わせる。【選択図】図７
2022003374.tif 000002
【特許請求の範囲】
【請求項１】
セットされた原稿を読み取る原稿読取装置と、
データを記憶する記憶部と、
前記原稿読取装置外に設けられ、印刷ジョブのとき印刷を行い、セットされた用紙を送り出す給紙部と、送り出された前記用紙を搬送する用紙搬送部と、搬送用紙に印刷する画像形成部と、を含む印刷部と、
前記画像形成部に進入する前の前記搬送用紙を読み取る用紙読取部と、
前記原稿読取装置の読み取りによって得られた読取画像データに基づくジョブを制御する制御部と、を備え、
前記制御部は、
前記ジョブに用いた前記読取画像データに基づく比較用画像データを前記記憶部に記憶させ、
セットされた前記用紙を前記給紙部に給紙させ、
マーク印刷モードのとき、
前記制御部は、
前記給紙部から送り出された前記搬送用紙を前記用紙読取部に読み取らせ、
前記用紙読取部の読み取りによって得られた搬送用紙画像データと前記比較用画像データに基づき、前記搬送用紙が、前記原稿読取装置によって読取済であり前記ジョブに用いられた前記原稿である処理済原稿と対応しているか否かを判定する判定処理を行い、
前記搬送用紙が前記処理済原稿と対応していると判定したとき、搬送される前記搬送用紙への処理済マークの印刷を前記画像形成部に行わせ、
前記搬送用紙が前記処理済原稿と対応しないと判定したとき、前記搬送用紙への前記処理済マークの印刷を前記画像形成部に行わせないことを特徴とする画像形成装置。
【請求項２】
前記画像形成部を通過した前記用紙が排出される排出トレイを複数含み、
前記制御部は、
２つの前記排出トレイのうち、一方の前記排出トレイに、前記処理済マークを印刷した前記搬送用紙を排出させ、
２つの前記排出トレイのうち、他方の前記排出トレイに、前記処理済マークを印刷しなかった前記搬送用紙を排出させることを特徴とする請求項１に記載の画像形成装置。
【請求項３】
前記マーク印刷モードを有効とするか否かの設定を受け付ける操作パネルを含み、
前記制御部は、
前記マーク印刷モードが有効の設定のとき、前記判定処理を行い、判定結果に応じて前記処理済マークを前記画像形成部に印刷させ、
前記マーク印刷モードが無効の設定のとき、前記判定処理を行わず、前記処理済マークを前記画像形成部に印刷させないことを特徴とする請求項１又は２に記載の画像形成装置。
【請求項４】
前記制御部は、
予め定められた第１期間、送信ジョブの前記処理済原稿の前記比較用画像データを前記記憶部に記憶させ、
前記第１期間が経過すると、前記送信ジョブの前記処理済原稿の前記比較用画像データを前記記憶部に消去させ、
第２期間、保存ジョブの前記処理済原稿の前記比較用画像データを前記記憶部に記憶させ、
前記第２期間が経過すると、前記保存ジョブの前記処理済原稿の前記比較用画像データを前記記憶部に消去させ、
前記第２期間は、前記保存ジョブによって前記比較用画像データに対応する画像ファイルが保存されてから、当該画像ファイルが前記記憶部から削除されるまでであることを特徴とする請求項１乃至３の何れか１項に記載の画像形成装置。
【請求項５】
前記比較用画像データの指定を受け付ける操作パネルを含み、
前記制御部は、
前記比較用画像データが指定されているとき、前記搬送用紙画像データと、指定された前記比較用画像データのみを比較して、前記判定処理を行い、
前記比較用画像データが指定されていないとき、前記搬送用紙画像データと、指定されなかった前記比較用画像データを比較して、前記判定処理を行い、
前記比較用画像データが指定されていないとき、前記比較用画像データが指定されているときよりも、遅い搬送速度で前記搬送用紙を前記用紙搬送部に搬送させることを特徴とする請求項１乃至４の何れか１項に記載の画像形成装置。
【請求項６】
前記画像形成部を通過した前記用紙の表裏を逆転させ、前記用紙読取部よりも用紙搬送方向上流側に前記用紙を送り返す両面搬送部と、
前記マーク印刷モードの両面モードの選択を受け付ける操作パネルを含み、
を含み、
前記両面モードが選択されている場合、
前記制御部は、
前記給紙部にセットされた前記用紙を前記給紙部に給紙させ、
前記給紙部から送り出された前記搬送用紙の一面を、前記用紙読取部に読み取らせ、
前記一面の前記搬送用紙画像データと、前記比較用画像データに基づき、前記搬送用紙の前記一面が、前記処理済原稿と対応しているか否かを判定し、
前記一面が前記処理済原稿と対応していると判定したとき、前記一面への前記処理済マークの印刷を前記画像形成部に行わせ、
前記一面が前記処理済原稿と対応しないと判定したとき、前記一面への前記処理済マークの印刷を前記画像形成部に行わせず、
前記一面を読み取った前記搬送用紙を前記両面搬送部に搬送させ、
前記両面搬送部が送り返した前記搬送用紙の他面を、前記用紙読取部に読み取らせ、
前記他面の前記搬送用紙画像データと、前記比較用画像データに基づき、前記搬送用紙の前記他面が、前記処理済原稿と対応しているか否かを判定し、
前記他面が前記処理済原稿と対応していると判定したとき、前記他面への前記処理済マークの印刷を前記画像形成部に行わせ、
前記他面が前記処理済原稿と対応しないと判定したとき、前記他面への前記処理済マークの印刷を前記画像形成部に行わせないことを特徴とする請求項１乃至４の何れか１項に記載の画像形成装置。
【請求項７】
表示パネルを含み、
前記搬送用紙画像データが前記処理済マークの画像を含むとき、
前記制御部は、既に前記処理済マークが印刷済であることを前記表示パネルに表示させることを特徴とする請求項１乃至６の何れか１項に記載の画像形成装置。
【請求項８】
前記搬送用紙画像データが前記処理済マークの画像を含むが、前記搬送用紙が前記処理済原稿と対応しないと判定した場合、
前記制御部は、前記比較用画像データが消去済であることを前記表示パネルに表示させることを特徴とする請求項７に記載の画像形成装置。
【請求項９】
表示パネルを含み、
前記マーク印刷モードでの処理において、給紙した１枚目の前記用紙から最後の前記用紙までの間に、前記処理済原稿に対応する前記用紙と、前記処理済原稿に対応しない前記用紙と、が混在した場合、
前記制御部は、
前記記憶部が記憶する前記比較用画像データの中から未読画像データを抽出し、
前記未読画像データの縮小画像を前記表示パネルに表示させ、
前記未読画像データは、
前記処理済マークを印刷した用紙に対応する前記比較用画像データと同じジョブの前記比較用画像データであり、
かつ、前記搬送用紙画像データと対応すると判定されたことがない前記比較用画像データであることを特徴とする請求項１乃至８の何れか１項に記載の画像形成装置。
【発明の詳細な説明】
【技術分野】
【０００１】
本発明は、処理済を示すマークを印刷する画像形成装置に関する。
【背景技術】
【０００２】
スキャン装置（読取装置）を用いて、原稿を読み取ることがある。例えば、スキャン装置は、ランプ、イメージセンサーを含む。読み取りによって、原稿の画像データが得られる。誤って、読取済の原稿をスキャン装置にセットすることがある。この場合、既に取得済の画像データが生成される。反対に、スキャン装置にセットする原稿束から、読み取りが必要な原稿が漏れる場合もある。そこで、読み取った原稿にマークを印刷することがある。マークの有無により、不要な読み取りを防いだり、読み取り漏れに気づいたりすることができる。
【０００３】
特許文献１には、スタンプを用いて、スキャンした原稿にマークを付す装置の一例が記載されている。具体的に、特許文献１には、スキャナー装置５とスタンプ装置６を制御するスキャナー制御装置４（ＳＣＵ）と、光学的に用紙を読み取り、電気信号に変換して出力するスキャナー装置５と、６種類のスタンプ面を備え、入力用紙の所定のスタンプ印画領域にスタンプ印画を行うスタンプ装置６と、を含む処理済マーク印画装置が記載されている。この構成により、単一種のマークを押すだけでは用紙を保管すべきか否か判別できないという欠点を解消しようとする（特許文献１：段落［０００４］、［０００９］等参照）。
【先行技術文献】
【特許文献】
【０００４】
【特許文献１】特開平９−２０２０２０号公報
【発明の概要】
【発明が解決しようとする課題】
【０００５】
読み取った原稿に、マークを付すことがある。マークの有無によって、読取済か否かがわかる。従来、マークを付す機構はスキャン装置に設けられている。これにより、読み取り完了直後に、原稿にマークを付すことができる。
【０００６】
従来、マークを付す部材（道具）として、スタンプが用いられている。例えば、スキャン装置にスタンプ装置が内蔵される。スタンプ装置は、スタンプと突出機構を含む。例えば、突出機構は、読み取った原稿に向けてスタンプを突出させる。突出したスタンプが原稿と接する。これにより、原稿に読取済を示すマークが付される。なお、スタンプを用いず、印刷によりマークを付すことも考えられる。
【０００７】
スタンプ装置（スタンプ機構）を内蔵すると、製品（スキャン装置）の製造コストが増加するという問題がある。例えば、スタンプを用いる場合、押印用の機構だけではなく、インク漏れ対策のための部材、部品を追加する必要がある。さらに、マークを付したくない書類にも、自動的にマークを付してしまうという問題もある。
【０００８】
特許文献１に記載の装置は、スキャン装置にスタンプを設ける構成になっている。特許文献１記載の技術では、上記の問題を解決できない。
【０００９】
本発明は、上記従来技術の問題点に鑑み、原稿にマークを付す装置を原稿読取装置に設なくても、マークを付したい原稿のみに、処理済みを示すマークを原稿に付すことができるようにし、原稿読取装置の製造コストを抑える。
【課題を解決するための手段】
【００１０】
上記目的を達成するために、本発明に係る画像形成装置は、原稿読取装置、記憶部、印刷部、用紙読取部、制御部を含む。前記原稿読取装置はセットされた原稿を読み取る。前記記憶部はデータを記憶する。前記印刷部は、前記原稿読取装置外に設けられ、印刷ジョブのとき印刷を行う。前記印刷部は、セットされた用紙を送り出す給紙部と、送り出された前記用紙を搬送する用紙搬送部と、搬送用紙に印刷する画像形成部と、を含む。前記用紙読取部は、前記画像形成部に進入する前の前記搬送用紙を読み取る。前記制御部は前記原稿読取装置の読み取りによって得られた読取画像データに基づくジョブを制御する。前記制御部は、前記ジョブに用いた前記読取画像データに基づく比較用画像データを前記記憶部に記憶させる。前記制御部は、セットされた前記用紙を前記給紙部に給紙させる。マーク印刷モードのとき、前記制御部は、
前記給紙部から送り出された前記搬送用紙を前記用紙読取部に読み取らせる。前記用紙読取部の読み取りによって得られた搬送用紙画像データと前記比較用画像データに基づき、前記制御部は、前記搬送用紙が、前記原稿読取装置によって読取済であり前記ジョブに用いられた前記原稿である処理済原稿と対応しているか否かを判定する判定処理を行う。前記搬送用紙が前記処理済原稿と対応していると判定したとき、前記制御部は、搬送される前記搬送用紙への処理済マークの印刷を前記画像形成部に行わせる。前記搬送用紙が前記処理済原稿と対応しないと判定したとき、前記制御部は、前記搬送用紙への前記処理済マークの印刷を前記画像形成部に行わせない。
【発明の効果】
【００１１】
原稿にマークを付す装置は原稿読取装置に設けられない。画像形成装置の製造コストを抑えることができる。また、マークを付したい原稿のみに、処理済みを示すマークを原稿に付すことができる。
【図面の簡単な説明】
【００１２】
【図１】実施形態に係る複合機の一例を示す図である。
【図２】実施形態に係る複合機の一例を示す図である。
【図３】実施形態に係る原稿読取装置の一例を示す図である。
【図４】実施形態に係る用紙読取部の一例を示す図である。
【図５】実施形態に係る複合機での比較用画像データの記憶の一例を示す図である。
【図６】実施形態に係るマーク印刷モード設定画面の一例を示す図である。
【図７】実施形態に係るマーク印刷モードの処理の一例を示す図である。
【図８】実施形態に係るマーク印刷モードの処理の一例を示す図である。
【図９】実施形態に係る比較用画像データの自動消去の一例を示す図である。
【図１０】実施形態に係る処理済マークが印刷された用紙を読み取ったときの処理の一例を示す図である。
【発明を実施するための形態】
【００１３】
以下、図１〜図１０を用いて、実施形態に係る画像形成装置を説明する。以下の説明では、画像形成装置として、複合機１００を例に挙げて説明する。但し、本実施の形態に記載されている構成、配置等の各要素は、発明の範囲を限定するものではなく単なる説明例にすぎない。
【００１４】
（複合機１００）
まず、図１を用いて実施形態に係る複合機１００の一例を説明する。図１、図２は実施形態に係る複合機１００の一例を示す図である。
【００１５】
図１に示すように、複合機１００は、制御部１、記憶部２、操作パネル３、印刷部１０１、原稿読取装置１０２を含む。原稿読取装置１０２は、原稿搬送部４と原稿読取部５を含む。
【００１６】
制御部１は複合機１００の動作を制御する。制御部１は、コピーや送信のようなジョブでの各部の動作を制御する。制御部１は、制御回路１１、画像データ生成回路１２、画像処理回路１３、通信回路部１４を含む。例えば、制御部１は基板である（メインコントロール基板）。例えば、制御回路１１はＣＰＵである。制御回路１１は、ジョブに関する処理、演算を行う。
【００１７】
画像データ生成回路１２は、アナログ画像信号を処理する回路を含む。例えば、画像データ生成回路１２は、増幅回路、オフセット回路、Ａ／Ｄ変換回路を含む。Ａ／Ｄ変換回路は、増幅回路、オフセット回路が調整したアナログ画像信号をディジタルデータ（画像データ）に変換する。原稿読取装置１０２（原稿読取部５）が原稿を読み取って出力したアナログ画像信号に基づき、画像データ生成回路１２は読取画像データを生成する。例えば、画像データ生成回路１２はグレー、又は、カラーの読取画像データを生成する。
【００１８】
画像処理回路１３は読取画像データの画像処理を行う。画像処理回路１３はＡＳＩＣ（画像処理用に設計、開発された集積回路）である。例えば、コピージョブのとき、画像処理回路１３は、読取画像データを処理して印刷出力用画像データを生成する。印刷出力用画像データに基づき、制御部１は印刷部１０１に印刷させる。送信ジョブのとき、読取画像データを処理して送信用ファイルを生成する。制御部１は送信用ファイルを通信回路部１４に送信させる。保存ジョブ（ボックス保存）のとき、読取画像データを処理して保存用ファイルを生成する。制御部１は保存用ファイルを記憶部２（ストレージ）に不揮発的に記憶させる。
【００１９】
通信回路部１４は通信回路、通信メモリーを含む。通信メモリーは通信用ソフトウェアを記憶する。通信回路部１４はコンピューター２００と通信する。コンピューター２００は、例えば、ＰＣやサーバーである。通信回路部１４は、コンピューター２００からの印刷用データを受信できる。制御部１は、受信した印刷用データに基づき印刷部１０１に印刷させる（プリントジョブ、ＦＡＸ受信印刷）。
【００２０】
複合機１００は記憶部２としてＲＡＭ、ＲＯＭ、ストレージを含む。ストレージは、ＨＤＤとＳＳＤの何れか一方、又は、両方である。制御部１は、記憶部２に記憶されたプログラムやデータに基づき、各部を制御する。
【００２１】
操作パネル３は、表示パネル３１、タッチパネル３２、ハードキー３３を含む。制御部１は、メッセージや、設定用画面を表示パネル３１に表示させる。また。制御部１は、操作用画像を表示パネル３１に表示させる。操作用画像は、例えば、ボタン、キー、タブである。タッチパネル３２の出力に基づき、制御部１は、操作された操作用画像を認識する。ハードキー３３は、スタートキーやテンキーを含む。タッチパネル３２、ハードキー３３は使用者の設定操作（ジョブに関する操作）を受け付ける。操作用画像やハードキー３３を操作することにより、使用者は、ジョブに関する設定を行うことができる。操作パネル３は使用者の設定を受け付ける。例えば、操作パネル３は、原稿読み取りでの解像度の設定を受け付ける。また、操作パネル３は、カラーで読み取るか、モノクロで読み取るかの設定を受け付ける。
【００２２】
印刷部１０１は、給紙部８ａ、用紙搬送部６、画像形成部７、定着部８ｂ、両面搬送部８ｃを含む。給紙部８ａは給紙カセット８１、給紙用ローラー８２を含む。給紙カセット８１は用紙を収容する。給紙用ローラー８２は用紙搬送部６に用紙を送り出す。印刷ジョブのとき、制御部１は用紙を給紙部８ａに供給させる。
【００２３】
複合機１００は、用紙搬送部６として、第１搬送部６１と第２搬送部６２を含む。なお、画像形成部７と定着部８ｂも用紙を搬送する。制御部１は用紙を用紙搬送部６に搬送させる。第１搬送部６１は、給紙部８ａから供給された用紙を画像形成部７まで搬送する。第１搬送部６１は、用紙搬送用の第１搬送ローラー対６３、第１搬送モーターを含む。用紙を搬送するとき、第１搬送モーターは第１搬送ローラー対６３を回転させる。第１搬送ローラー対６３は用紙を搬送する。
【００２４】
給紙部８ａと画像形成部７の間（第１搬送部６１）には、用紙読取部９が設けられる。用紙読取部９は、画像形成部７に向けて搬送される用紙を読み取る。用紙読取部９は、画像形成部７に進入前の用紙を読み取る。用紙読取部９の詳細は後述する。
【００２５】
第２搬送部６２は、定着部８ｂを通過した用紙を、第１排出トレイ８３ａ、第２排出トレイ８３ｂ、又は、両面搬送部８ｃに送る。第２搬送部６２は、第１排出ローラー対６４、第２排出ローラー対６５、スイッチバックローラー対６６、第１切替ガイド６７、第２切替ガイド６８を含む。第１排出ローラー対６４は、第１排出トレイ８３ａに用紙を排出する。第２排出ローラー対６５は、第２排出トレイ８３ｂに用紙を排出する。図２のうち、下側のトレイが第１排出トレイ８３ａである。上側のトレイが第２排出トレイ８３ｂである。また、図２のうち、下側の切替ガイドが第１切替ガイド６７である。上側の切替ガイドが第２切替ガイド６８である。
【００２６】
第１切替ガイド６７を回転させるため、第１切替モーターが設けられる。制御部１は、第１切替モーターを回転させ、第１切替ガイド６７の姿勢を制御する。また、第２切替ガイド６８を回転させるため、第２切替モーターが設けられる。制御部１は、第２切替モーターを回転させ、第２切替ガイド６８の姿勢を制御する。
【００２７】
例えば、操作パネル３は、排出先の設定を受け付ける。第１排出トレイ８３ａに印刷済の用紙を排出するとき、制御部１は第１切替ガイド６７を回転させる。第１排出トレイ８３ａへの経路を開くため、制御部１は、第１切替ガイド６７を、第２排出トレイ８３ｂ及びスイッチバックローラー対６６への経路を閉じる姿勢とする。制御部１は、用紙を第１排出ローラー対６４と第１排出トレイ８３ａに向かわせる。第１排出ローラー対６４を回転させるため、第１排出モーターが設けられる。制御部１は、第１排出モーターを回転させ、用紙を第１排出トレイ８３ａに排出させる。
【００２８】
第２排出トレイ８３ｂに印刷済の用紙を排出するとき、制御部１は、第１切替ガイド６７を回転させる。制御部１は、スイッチバックローラー対６６及び第２排出トレイ８３ｂへの経路を開く。制御部１は、第１切替ガイド６７を、第１排出トレイ８３ａへの経路を閉じる姿勢とする。さらに、制御部１は、第２切替ガイド６８を回転させる。制御部１は第２排出トレイ８３ｂへの経路を開く。制御部１は、第２切替ガイド６８を、両面搬送部８ｃへの経路を閉じる姿勢とする。第２排出ローラー対６５を回転させるため、第２排出モーターが設けられる。また、スイッチバックローラー対６６を回転させるため、スイッチバックモーターが設けられる。制御部１は、第２排出モーターとスイッチバックモーターを回転させ、用紙を第２排出トレイ８３ｂに排出させる。
【００２９】
両面印刷のとき（片面印刷済みの用紙を画像形成部７の上流に送るとき）、制御部１は、スイッチバック処理を行う。スイッチバック処理により、用紙の表裏が逆転される。スイッチバック処理では、まず、制御部１は、第１切替ガイド６７と第２切替ガイド６８を回転させ、スイッチバックローラー対６６及び第２排出トレイ８３ｂへの経路を開く。具体的に、制御部１は、第１切替ガイド６７を、第１排出トレイ８３ａへの経路を閉じる姿勢とする。また、制御部１は、第２切替ガイド６８を、両面搬送部８ｃへの経路を閉じる姿勢とする。制御部１は、スイッチバックモーターと第２排出モーターを回転させ、用紙の途中まで、第２排出トレイ８３ｂに用紙を排出させる。第２排出ローラー対６５を通過しきる前に、制御部１は、スイッチバックモーターと第２排出モーターを停止させる。
【００３０】
停止後、制御部１は、両面搬送部８ｃへの経路を開く。制御部１は、第２切替ガイド６８を、第１排出トレイ８３ａへの経路を閉じる姿勢とする。制御部１は、第２排出モーターとスイッチバックモーターを逆回転させ、用紙を両面搬送部８ｃに送り込む。
【００３１】
両面搬送部８ｃは、複数の両面搬送ローラー対８４を含む。また、両面搬送部８ｃは、両面搬送ローラー対８４を回転させるための両面搬送モーターを含む。両面搬送部８ｃに用紙を搬送させるとき、制御部１は、両面搬送モーターと両面搬送ローラー対８４を回転させる。これにより、用紙は画像形成部７の上流（第１搬送部６１）に合流する。
【００３２】
例えば、画像形成部７は、感光体ドラム７０、帯電装置７１、露光装置７２、現像装置７３、転写ローラー７４を含む。制御部１は画像データに基づくトナー像を画像形成部７に形成させる。制御部１は搬送用紙へのトナー像の転写を画像形成部７に行わせる。用紙への転写は、感光体ドラム７０と転写ローラー７４とのニップでなされる。定着部８ｂは、ヒーター、定着用回転体、定着用モーターを含む。ヒーターは定着用回転体を熱する。用紙は定着用回転体と接しつつ搬送される。これにより、トナー像が用紙に定着する。制御部１は転写されたトナー像の用紙への定着を定着部８ｂに行わせる。
【００３３】
（原稿読取装置１０２）
次に、図２、図３を用いて実施形態に係る原稿読取装置１０２の一例を説明する。図３は実施形態に係る原稿読取装置１０２の一例を示す図である。
【００３４】
原稿読取装置１０２は、例えば、複合機１００の上方に設けられる。原稿読取装置１０２は、原稿搬送部４と原稿読取部５を含む。原稿搬送部４は、自動原稿送り装置（ＡＤＦ、ＤＰ）と称されることもある。原稿読取部５の上方に原稿搬送部４に設けられる。
【００３５】
図３に示すように、原稿搬送部４は搬送制御部４０を含む。搬送制御部４０は、搬送制御回路４０ａおよび搬送メモリー４０ｂを含む。例えば、搬送制御回路４０ａはＣＰＵである。原稿搬送部４は、搬送メモリー４０ｂとして、ＲＯＭとＲＡＭを含む。例えば、搬送制御部４０は、原稿搬送部４の内部に設けられた制御基板である。原稿読み取りを伴うジョブのとき、かつ、原稿搬送部４に原稿がセットされているとき、制御部１は搬送制御部４０に搬送読取の指示を出す。原稿読み取りを伴うジョブは、例えば、コピージョブ、送信ジョブ、保存ジョブである。制御部１の指示に基づき、搬送制御部４０は原稿搬送部４の原稿搬送動作を制御する。
【００３６】
図２に示すように、原稿搬送部４には、原稿搬送方向上流側から順に（上流から下流に向けて）、原稿トレイ４１、原稿給紙回転体４２、第１搬送回転体４３、第２搬送回転体４４、第３搬送回転体４５、裏面読取ユニット４６、第４搬送回転体４７、第５搬送回転体４８、第６搬送回転体４９、原稿排出トレイ４１０が設けられる。使用者は、読み取りたい原稿（原稿束）を原稿トレイ４１にセットする。各回転体を回転させるため、原稿搬送部４は、原稿搬送モーター４１２を複数含む。搬送制御部４０は、各原稿搬送モーター４１２の回転のＯＮ／ＯＦＦと、回転速度を制御する。原稿搬送部４の各回転体は、原稿を読取位置に向けて搬送する。
【００３７】
原稿トレイ４１には、セットセンサー４１１が設けられる。セットセンサー４１１は、原稿トレイ４１に原稿がセットされているか否か（置かれているか否か）を検知するためのセンサーである。セットセンサー４１１の出力は、搬送制御部４０に入力される。セットセンサー４１１の出力に基づき、搬送制御部４０は、原稿トレイ４１上に原稿があるか否かを認識する。搬送制御部４０は、原稿の有無を制御部１に通知する。制御部１は、原稿トレイ４１に原稿がセットされているか否かを認識する。
【００３８】
原稿読取部５は読取制御部５０を含む。読取制御部５０は読取制御回路５０ａおよび読取メモリー５０ｂを含む。例えば、読取制御部５０はＣＰＵである。原稿読取部５は、読取メモリー５０ｂとして、ＲＯＭとＲＡＭを含む。例えば、読取制御部５０は原稿読取部５の内部に設けられた制御基板である。原稿読み取りを伴うジョブのとき、制御部１は、原稿読み取りの指示を読取制御部５０に出す。制御部１の指示に基づき、読取制御部５０は、原稿の読み取り動作を制御する。具体的に、読取制御部５０は移動用モーター５１、原稿用ランプ５２、原稿用イメージセンサー５３（ラインセンサー）の動作を制御する。
【００３９】
原稿搬送部４は原稿トレイ４１の原稿を１枚ずつ給紙、搬送する。原稿搬送部４は、紙間を設けつつ、自動的、連続的に原稿を送り出す。原稿は最終的に原稿排出トレイ４１０に排出される。
【００４０】
裏面読取ユニット４６は、ＣＩＳ方式の読取ユニットである。裏面読取ユニット４６は、裏面用ランプ、レンズ、裏面用イメージセンサー（ラインセンサー）を含む。裏面用イメージセンサーは、アナログ画像信号を出力する。アナログ画像信号は、画像データ生成回路１２に入力される。原稿の両面を読み取るジョブのとき、画像データ生成回路１２は、原稿の裏面の読取画像データを生成する。
【００４１】
図２に示すように、原稿読取部５の上面に、搬送読取用コンタクトガラス５４と原稿台５５（テーブル読取用コンタクトガラス）が設けられる。原稿搬送路の途中に（第４搬送回転体４７と第５搬送回転体４８の間に）、搬送読取用コンタクトガラス５４が位置する。搬送読取用コンタクトガラス５４の上方が搬送読取の読取位置となる。原稿搬送部４のうち、複合機１００の正面側（手前側）を上下方向で開閉することができる。原稿を原稿台５５にセットする場合、使用者は原稿搬送部４を持ち上げる。原稿搬送部４は、原稿読取部５の各コンタクトガラスを上方から押さえるカバーとして機能する。
【００４２】
原稿読取部５は、筐体内に、キャリッジ５６と移動機構を含む。移動機構は、移動用モーター５１、ベルト５７、第１プーリー５８、第２プーリー５９を含む。キャリッジ５６はＣＩＳ方式のスキャンユニットである。ＣＣＤ方式のスキャンユニットが用いられてもよい。
【００４３】
ベルト５７は無端状である。ベルト５７は第１プーリー５８と第２プーリー５９にかけ回される。ベルト５７とキャリッジ５６は接続される。移動用モーター５１の駆動は、第１プーリー５８又は第２プーリー５９に伝達される。移動用モーター５１は正逆回転可能である。キャリッジ５６を移動させるとき、読取制御部５０は移動用モーター５１を回転させる。これにより、ベルト５７が周回する。ベルト５７の周回にあわせ、キャリッジ５６は水平方向（副走査方向、主走査方向と垂直な方向、図２の左右方向）で移動する。キャリッジ５６は原稿台５ａの他面側（下側）で移動する。
【００４４】
キャリッジ５６は、原稿用ランプ５２、原稿用イメージセンサー５３（ラインセンサー）を内蔵する。キャリッジ５６は反射光を原稿用イメージセンサー５３の各受光素子に導くレンズ（ロッドレンズアレイ）も含む（不図示）。原稿読み取りのとき、読取制御部５０は各原稿用ランプ５２を点灯させる。各原稿用ランプ５２は、主走査方向に沿って、読取対象（原稿）に光を照射する。
【００４５】
操作パネル３はジョブの実行開始指示を受け付ける。原稿を読み取るジョブの実行開始指示があったとき、制御部１は、原稿トレイ４１に原稿がセットされているか否かを確認する。原稿トレイ４１に原稿がセットされているとき、制御部１は、搬送読取を原稿搬送部４と原稿読取部５に行わせる。制御部１は、搬送読取を原稿搬送部４と原稿読取部５に指示する。搬送読取の指示を受けたとき、読取制御部５０は、キャリッジ５６を搬送読取用コンタクトガラス５４の下方に移動させる。また、原稿搬送部４は原稿搬送を開始する。制御部１は、搬送読取用コンタクトガラス５４を通過する原稿を原稿読取部５に読み取らせる。原稿用イメージセンサー５３は、搬送される原稿を読み取る。
【００４６】
原稿トレイ４１に原稿がセットされていないとき、制御部１は、テーブル読取を原稿読取部５に指示する。テーブル読取の指示を受けたとき、読取制御部５０は、副走査方向でキャリッジ５６を移動させる。読取制御部５０は原稿台５５の端から端までキャリッジ５６を移動させる。キャリッジ５６の移動中、読取制御部５０は、原稿台上の原稿の読み取りを原稿用イメージセンサー５３に行わせる。
【００４７】
原稿の一面（表面）を読み取るとき、読取制御部５０は原稿用ランプ５２を点灯させる。原稿用ランプ５２は原稿を照射する。原稿で反射された光が原稿用イメージセンサー５３に入射される。原稿用イメージセンサー５３はカラー読み取りに対応している。原稿用イメージセンサー５３の各受光素子は、受光量に応じたアナログ信号（アナログ画像信号）を出力する。アナログ画像信号は画像データ生成回路１２に入力される。入力されたアナログ画像信号に基づき、画像データ生成回路１２は、読取画像データを生成する。
【００４８】
（用紙読取部９）
次に、図２、図４を用いて、実施形態に係る用紙読取部９の一例を説明する。図４は実施形態に係る用紙読取部９の一例を示す図である。
【００４９】
複合機１００は用紙読取部９を含む。用紙読取部９は用紙搬送経路上に設けられる。用紙読取部９は給紙部８ａの下流側、かつ、画像形成部７（転写ニップ、転写ローラー７４）よりも用紙搬送方向上流側の位置に設けられる（図２参照）。用紙読取部９は用紙用ランプ９１、用紙用レンズ、用紙用イメージセンサー９２を含む。用紙用イメージセンサー９２の長手方向は、主走査方向と平行である。主走査方向は用紙搬送方向（副走査方向）と垂直な方向である。用紙読取部９は、ＣＩＳ方式のスキャナーユニットである。
【００５０】
用紙読取部９は搬送用紙を読み取る。用紙読取部９は、搬送用紙の一面を読み取る。一面は、給紙部８ａにセットされた用紙の上面であり、画像形成部７が印刷する（トナー像を転写する）面である。搬送用紙を読み取るとき、制御部１は用紙用ランプ９１を点灯させる。用紙用ランプ９１は主走査方向に沿って光を照射する。例えば、用紙用ランプ９１はＬＥＤである。用紙用イメージセンサー９２は画素（受光素子）を複数含む。画素（受光素子）は主走査方向に並ぶ。用紙用ランプ９１から放たれ、原稿で反射した光は、レンズを経て、用紙用イメージセンサー９２の各画素に入射する。なお、用紙を読み取るので、用紙到達を検知するセンサーとして、用紙用イメージセンサー９２を用いることもできる。また、搬送用紙の傾きを検知するセンサーとしても、用紙用イメージセンサー９２を用いることができる。
【００５１】
用紙用イメージセンサー９２は電荷転送回路（シフトレジスター、転送用ＣＣＤ）を含む。例えば、所定の周期で、各画素が蓄えた電荷が電荷転送回路に移される。電荷転送回路は電荷を電圧に変換しつつ、１画素ずつ、アナログ画像信号を出力する。制御部１は、入力されるアナログ画像信号をＡ／Ｄ変換し、搬送用紙画像データを生成する。
【００５２】
例えば、アナログ画像信号に基づき、画像データ生成回路１２（制御部１）は、モノクロの画像データを生成する。例えば、１画素８ビット（２５６階調）のモノクロ画像データを生成する。そして、制御部１は、モノクロ画像データを加工して、２値の画像データを搬送用紙画像データとして生成する。２値化のための閾値は、予め定められる。なお、モノクロ画像データを搬送用紙画像データとしてもよい。
【００５３】
（比較用画像データｉ１の記憶）
次に、図５を用いて、実施形態に係る複合機１００での比較用画像データｉ１の記憶の一例を説明する。図５は、実施形態に係る複合機１００での比較用画像データｉ１の記憶の一例を示す図である。
【００５４】
図５のスタートは、原稿を読み取るジョブを開始した時点である。原稿を読み取るジョブは、例えば、送信ジョブ、保存ジョブである。つまり、比較用画像データｉ１を記憶するジョブは、送信ジョブと保存ジョブである。なお、コピージョブについても、制御部１は、比較用画像データｉ１を記憶部２に記憶させてもよい。また、搬送読取の場合、図５のフローチャートの処理は、原稿ごと行われる。
【００５５】
まず、原稿読取部５は、原稿を読み取る（ステップ♯１）。原稿を読み取った原稿用イメージセンサー５３が出力するアナログ画像信号に基づき、画像データ生成回路１２（制御部１）は、読取画像データを生成する（ステップ♯２）。制御部１は、読取画像データに基づき、ジョブを行う。例えば、送信ジョブの場合、制御部１は、読取画像データに基づき、送信用ファイルを生成する。制御部１は、送信用ファイルを通信部に送信させる。
【００５６】
制御部１は、読取画像データに基づく比較用画像データｉ１を記憶部２に記憶させる（ステップ♯３、図１参照）。記憶部２は、比較用画像データｉ１を不揮発的に記憶する（図１参照）。比較用画像データｉ１は、所定の形式の画像ファイルである。
【００５７】
例えば、制御部１は、読取画像データに基づき、比較用画像データｉ１の解像度を調整する。例えば、制御部１は、読取画像データ（比較用画像データｉ１）と搬送用紙画像データの解像度と同じ解像度とする。また、制御部１は、比較用画像データｉ１の１画素あたりのビット数を調整する。搬送用紙画像データが２値データの場合、制御部１は、読取画像データを２値化したデータを比較用画像データｉ１として生成する。搬送用紙画像データが１画素８ビットのモノクロデータの場合、制御部１は、読取画像データを１画素８ビットのモノクロに調整した画像データを比較用画像データｉ１として生成する。制御部１は、生成した比較用画像データｉ１を記憶部２に記憶させる。
【００５８】
制御部１は、記憶させた比較用画像データｉ１に属性情報を付す（ステップ♯４→エンド）。制御部１は、比較用画像データｉ１を記憶した年月日、時刻を属性情報として、比較用画像データｉ１に付してもよい。また、制御部１は、比較用画像データｉ１に対応する読取画像データが用いられたジョブの名前、ジョブの種類を属性情報に含めてもよい。
【００５９】
（マーク印刷モードの設定）
次に、図６を用いて、実施形態に係るマーク印刷モードの設定の一例を説明する。図６は、実施形態に係るマーク印刷モード設定画面３４の一例を示す図である。
【００６０】
複合機１００ではマーク印刷モードを有する。マーク印刷モードでは、制御部１は、給紙部８ａから送り出された搬送用紙を用紙読取部９に読み取らせる。制御部１は判定処理を行う。判定処理は、読み取りで得られた搬送用紙画像データと比較用画像データｉ１に基づき、搬送用紙が、原稿読取装置１０２によって読取済でありジョブに用いられた原稿と対応しているか否かを判定する処理である。
【００６１】
以下の説明では、原稿読取装置１０２によって読取済でありジョブに用いられた原稿を「処理済原稿」と称する。搬送用紙が処理済原稿と対応していると判定したとき、制御部１は、搬送用紙への処理済マークの印刷を画像形成部７に行わせる。つまり、読取済の原稿に処理済を示すマークを付すことができる。搬送用紙が処理済原稿と対応しないと判定したとき、制御部１は、搬送用紙への処理済マークの印刷を画像形成部７に行わせない。
【００６２】
マーク印刷モード設定画面３４にて、マーク印刷モードに関する設定を行うことができる。所定の操作を行うことにより、マーク印刷モード設定画面３４を表示させることができる。操作パネル３は、マーク印刷モード設定画面３４を表示させる操作を受け付ける。表示を指示する操作がなされたとき、制御部１は、マーク印刷モード設定画面３４を表示パネル３１に表示させる。
【００６３】
マーク印刷モード設定画面３４には、無効ボタンＢ０、第１有効ボタンＢ１、第２有効ボタンＢ２が設けられる。無効ボタンＢ０は、マーク印刷モード無効（マーク印刷モードを使用しない）の設定を行うためのボタンである。
【００６４】
マーク印刷モード無効が設定されている場合、制御部１は、搬送用紙を用紙読取部９に読み取らせない。制御部１は判定処理を行わない。制御部１は、処理済マークを画像形成部７に印刷させない。
【００６５】
第１有効ボタンＢ１と第２有効ボタンＢ２は、マーク印刷モード有効（マーク印刷モードを使用する）の設定を行うためのボタンである。マーク印刷モードを有効とする設定のとき、制御部１は、搬送用紙を用紙読取部９に読み取らせる。制御部１は判定処理を行う。制御部１は、判定結果に応じて、処理済マークを画像形成部７に印刷させる。
【００６６】
用紙の片面のみ読取済か否かを確認したい場合、使用者は、第１有効ボタンＢ１を操作する。操作パネル３は、片面モードを選択する操作を受け付ける。用紙の両面について、読取済か否かを確認したい場合、使用者は、第２有効ボタンＢ２を操作する。操作パネル３は、両面モードを選択する操作を受け付ける。
【００６７】
（マーク印刷モードの処理）
次に、図７、図８を用いて、実施形態に係るマーク印刷モードの処理の一例を説明する。図７、図８は、実施形態に係るマーク印刷モードの処理の一例を示す図である。
【００６８】
複合機１００では、マーク印刷モードを利用することができる。マーク印刷モードには、片面モードと両面モードがある。使用者は、マーク印刷モードの有効化と、マーク印刷モードを利用するための準備作業を行う。準備作業として、使用者は、給紙部８ａ（給紙カセット８１）に、読取済か否かを判定し、処理済ならばマークを印刷する原稿（用紙）をセットする。判定する面が上向きになるように、使用者は原稿をセットする。
【００６９】
図７のスタートは、原稿（用紙）のセット後、操作パネル３がマーク印刷モードの処理の開始を受け付けた時点である。例えば、図７のスタートは、スタートボタンが操作された時点である。
【００７０】
まず、制御部１は、１枚目の用紙の給紙を給紙部８ａに開始させる（ステップ♯２１）。そして、制御部１は、画像形成部７に向けて、給紙された用紙を第１搬送部６１に搬送させる（ステップ♯２２）。そして、制御部１は、搬送用紙の一面を用紙読取部９に読み取らせる（ステップ♯２３）。これにより、制御部１は、搬送用紙画像データの生成を開始する（ステップ♯２４）。
【００７１】
そして、制御部１は判定処理を行う（ステップ＃２５）。判定処理によって、制御部１は、搬送用紙（給紙部８ａにセットされた用紙）が、処理済原稿と対応しているか否か（一致しているか否か）を判定する。言い換えると、制御部１は、実行済のジョブで読み取った原稿か否かを確認する。搬送用紙画像データと比較用画像データｉ１に基づき、制御部１は判定処理を行う。具体的に、制御部１は、搬送用紙画像データと比較用画像データｉ１を比較し、対応しているか否かを確認する。
【００７２】
ここで、記憶部２は、複数の比較用画像データｉ１を記憶する場合がある。判定処理で比較する比較用画像データｉ１の数が多い場合、全ての比較用画像データｉ１と搬送用紙画像データとの比較に時間を要する場合がある。そこで、操作パネル３は、比較する（判定処理の対象とする）比較用画像データｉ１の指定を受け付けてもよい。つまり、判定処理の対象とする比較用画像データｉ１を絞り込めるようにしてもよい。
【００７３】
マーク印刷モード設定画面３４でマーク印刷モードを有効とする設定がなされたとき、制御部１は、比較用画像データｉ１の指定画面を表示パネル３１に表示させてもよい。例えば、制御部１は、指定画面にて、記憶部２が記憶する比較用画像データｉ１の縮小画像（サムネイル画像）を表示させる。制御部１は、指定された縮小画像を、判定処理の対象とする比較用画像データｉ１と認識する。この場合、判定処理では、制御部１は、搬送用紙画像データと、指定された比較用画像データｉ１と、を比較する。一方、制御部１は、指定されなかった比較用画像データｉ１と、搬送用紙画像データと、を比較しない。比較用画像データｉ１が指定されなかった場合、判定処理では、制御部１は、搬送用紙画像データと、記憶部２の全ての比較用画像データｉ１と、を比較する。
【００７４】
以下、第１の判定手法と第２の判定手法を説明する。操作パネル３は、何れの判定手法を用いるかの選択を受け付けてもよい。この場合、制御部１は、選択された手法で判定処理を行う。
（１）第１の判定手法
正確な判定処理のため、搬送用紙の全体を読み取ることが考えられる。この場合、搬送用紙の面全体を含む搬送用紙画像データと、比較用画像データｉ１の全体を比較することができる。しかし、用紙のサイズによっては、画像形成部７に搬送用紙を進入させなければ、搬送用紙の全体を読み取ることができない場合がある。そのため、第１の判定手法では、搬送用紙の一面の全体を読み取ると、制御部１は、用紙搬送部６、画像形成部７の搬送動作を停止させてもよい。制御部１は、用紙搬送部６の搬送を行う回転体を回転させるモーターと、画像形成部７の回転体を回転させるモーターを停止させる。
【００７５】
なお、判定処理の対象とする比較用画像データｉ１が指定されたとき、制御部１は、用紙搬送部６、画像形成部７の搬送動作を停止させないようにしてもよい。判定処理の対象とする比較用画像データｉ１が指定されなかったときには、制御部１は、用紙搬送部６、画像形成部７の搬送動作を停止させてもよい。つまり、比較用画像データｉ１が指定されていないとき、制御部１は、比較用画像データｉ１が指定されているときよりも、遅い搬送速度で搬送用紙を用紙搬送部６に搬送させてもよい。
【００７６】
ここで、搬送用紙画像データに基づき、制御部１は、搬送用紙の面全体の読み取りが完了したことを認識できる。搬送用紙の端は、搬送用紙画像データにおいて、エッジとして現れる。主走査方向に延びる直線のエッジに基づき、制御部１は、搬送用紙の後端が用紙読取部９を通過し、搬送用紙の面全体を読み取ったことを認識できる。面全体の完了を認識すると、判定処理中に用紙が完全に画像形成部７を通過しないように、制御部１は、用紙を搬送する部材を停止させてもよい。
【００７７】
制御部１は、搬送用紙画像データと比較用画像データｉ１を比較する。例えば、制御部１は、搬送用紙画像データと比較用画像データｉ１を重ね合わせ、画素値が一致する画素数をカウントする。例えば、カウント値が予め定められた第１基準値以上のとき、制御部１は、搬送用紙が実行済のジョブで読み取った原稿と対応していると判定する。カウント値が第１基準値未満のとき、制御部１は、搬送用紙が実行済のジョブで読み取った原稿と対応していないと判定する。第１基準値は、例えば、搬送用紙画像データの１ページ分の画素数の８０％以上の値としてもよい。
【００７８】
（２）第２の判定手法
第２の判定手法では、１ページ分の搬送用紙画像データの一部（一部画像データ）と比較用画像データｉ１を比較する。例えば、制御部１は、搬送用紙画像データのうち、搬送用紙の先端（下流端）から所定幅分の画像データ（所定幅画像データ）を一部画像データとする。
【００７９】
所定幅は予め定められる。画像形成部７（感光体ドラム７０と転写ローラー７４のニップ）への用紙が進入を避けるため、所定幅は、用紙読取部９の読み取りライン（ラインセンサー）から画像形成部７までの距離未満としてもよい。第２の判定手法では、一部画像データが得られると、制御部１は、用紙搬送部６、画像形成部７の搬送動作を停止させてもよい。判定処理中に用紙が完全に画像形成部７を通過することを防ぐことができる。
【００８０】
なお、判定処理の対象とする比較用画像データｉ１が指定されたとき、制御部１は、用紙搬送部６、画像形成部７の搬送動作を停止させないようにしてもよい。判定処理の対象とする比較用画像データｉ１が指定されなかったとき、制御部１は、用紙搬送部６、画像形成部７の搬送動作を停止させてもよい。つまり、比較用画像データｉ１が指定されていないとき、制御部１は、比較用画像データｉ１が指定されているときよりも、遅い搬送速度で搬送用紙を用紙搬送部６に搬送させてもよい。
【００８１】
一部画像データが得られると、制御部１は、一部画像データと比較用画像データｉ１を比較する。例えば、制御部１は、比較用画像データｉ１に一部画像データを重ね合わせ、画素値が一致する画素数をカウントする。重ね合わせる位置をずらしつつ、制御部１は、複数回、一致画素数のカウント処理を行ってもよい。例えば、複数回のカウント処理のうち、最大のカウント値が予め定められた第２基準値以上のとき、制御部１は、搬送用紙と実行済のジョブで読み取った原稿とが対応している（一致している）と判定する。カウント値が第２基準値未満のとき、制御部１は、搬送用紙が実行済のジョブで読み取った原稿と対応していないと判定する。第２基準値は、例えば、一部画像データの画素数の８０％以上の値としてもよい。
【００８２】
読み取った搬送用紙の面と処理済原稿が対応すると判定したとき（ステップ＃２６のＹｅｓ）、制御部１は、処理済マークを画像形成部７に印刷させる（ステップ＃２７）。このとき、制御部１は、搬送用紙画像データと対応すると判定したことを示すデータを、処理済原稿と対応した比較用画像データｉ１に付す。制御部１は、搬送用紙の直前に読み取った面に、処理済マークを印刷する。印刷位置は、予め定められていてもよい。なお、用紙搬送を停止する場合、制御部１は、用紙搬送部６、画像形成部７に用紙搬送を再開させ、その後、画像形成部７に処理済マークを印刷させる。一方、読み取った搬送用紙の面と処理済原稿が対応しないと判定したとき（ステップ＃２６のＮｏ）、制御部１は、処理済マークを画像形成部７に印刷させない（ステップ＃２８）。
【００８３】
処理済マークは、実行されたジョブで読取済の原稿であることを示すマークである。例えば、制御部１は、「済」のような文字を処理済マークとして、画像形成部７に印刷させてもよい。また、制御部１は、「ｃｏｍｐｌｅｔｅｄ」のような単語（アルファベット）を処理済マークとして、画像形成部７に印刷させてもよい。また、制御部１は、読取済を示すイラストを処理済マークとして、画像形成部７に印刷させてもよい。
【００８４】
ステップ＃２７又はステップ＃２８の後、制御部１は、両面モードか否かを確認する（ステップ＃２９）。両面モードのとき（ステップ＃２９のＹｅｓ）、制御部１は、用紙読取部９が用紙の両面を読取済か否かを確認する（ステップ＃２１０）。言い換えると、制御部１は、搬送用紙の両面の判定処理を行った用紙か否かを確認する。
【００８５】
両面モード、かつ、用紙の片面のみ読み取っているとき（ステップ＃２１０のＮｏ）、制御部１は、用紙を用紙読取部９（画像形成部７）の上流に送る（ステップ＃２１１）。具体的には、制御部１は、用紙搬送部６にスイッチバック動作を行わせる。また、制御部１は、スイッチバックした用紙を両面搬送部８ｃに搬送させる。そして、フローは、ステップ＃２２に戻る。ステップ＃２２に戻った場合、制御部１は、送り返された用紙を用紙搬送部６（第１搬送部６１）に搬送させる。制御部１は、用紙を再び、用紙読取部９、画像形成部７に送る。制御部１は、今度は、搬送用紙の他面を用紙読取部９に読み取らせる。給紙部８ａにセットされた用紙の両面について、判定処理を行うことができる。
【００８６】
片面モードのとき（ステップ＃２９のＮｏ）、又は、用紙読取部９が用紙の両面を読取済のとき（ステップ＃２１０のＹｅｓ）、制御部１は、搬送用紙に処理済マークを印刷したか否かを確認する（ステップ＃２１２）。
【００８７】
処理済マークを印刷したとき（ステップ＃２１２のＹｅｓ）、制御部１は、第１排出トレイ８３ａと第２排出トレイ８３ｂのうち、一方の排出トレイに用紙を排出する（ステップ＃２１３）。処理済マークを印刷しなかったとき（ステップ＃２１２のＮｏ）、制御部１は、第１排出トレイ８３ａと第２排出トレイ８３ｂのうち、他方の排出トレイに用紙を排出する（ステップ＃２１４）。なお、両面を読み取った結果、用紙の片面のみに処理済マークを印刷した場合、制御部１は、一方の排出トレイに用紙を排出してもよいし、他方の排出トレイに用紙を排出してもよい。
【００８８】
処理済マークを印刷したか否かによって、排出先が仕分けられる。処理済マークを印刷した用紙を第１排出トレイ８３ａに排出する場合、制御部１は、処理済マークを印刷しなかった用紙を第２排出トレイ８３ｂに排出する。処理済マークを印刷した用紙を第２排出トレイ８３ｂに排出する場合、制御部１は、処理済マークを印刷しなかった用紙を第１排出トレイ８３ａに排出する。処理済マークを印刷した用紙をいずれの排出トレイに排出するかは、予め定められる。操作パネル３は、処理済マークを印刷した用紙をどの排出トレイに排出するかの設定を受け付けてもよい。この場合、排出先に設定された排出トレイに、制御部１は、処理済マークを印刷した用紙を排出する。
【００８９】
ステップ＃２１３又はステップ＃２１４の後、制御部１は、次の用紙を給紙するか否かを確認する（ステップ＃２１５）。例えば、給紙部８ａにはエンプティセンサー８１ａが設けられる（図４参照）。エンプティセンサー８１ａは給紙部８ａ（給紙カセット８１）の用紙の有無を検知するセンサーである。エンプティセンサー８１ａの出力は、制御部１に入力される。制御部１は、給紙部８ａの用紙切れを認識できる。給紙部８ａに用紙が残っている場合、制御部１は、次の用紙を給紙すると判定してもよい。また、給紙部８ａに用紙が残っていない場合、制御部１は、次の用紙を給紙しないと判定してもよい。マーク印刷モードを利用するとき、使用者は、未使用の用紙の全てを給紙部８ａから取り出す。そして、使用者は、読取済か否かを確認したい用紙（原稿）を１又は複数枚、給紙部８ａにセットする。
【００９０】
次の用紙を給紙すると判定したとき（ステップ＃２１５のＹｅｓ）、制御部１は、次の用紙の給紙を給紙部８ａに開始させる（ステップ＃２１６）。そして、制御部１は、ステップ＃２２を行う（ステップ＃２２に戻る）。次の用紙について、判定処理がなされる。
【００９１】
次の用紙を給紙しないと判定したとき（ステップ＃２１６のＮｏ）、制御部１は、１枚目の用紙から最後の用紙までの間に、処理済原稿に対応する用紙と、対応しない用紙と、が混在したか否かを確認にする（ステップ＃２１７）。
【００９２】
混在した場合（ステップ＃２１７のＹｅｓ）、制御部１は、処理済マークを印刷しなかった用紙の搬送用紙画像データの縮小画像（第１サムネイル画像）を表示パネル３１に表示させる（ステップ＃２１８）。用紙のうち、比較用画像データｉ１と対応しなかった（一致しなかった）ページの内容を使用者に示すことができる。
【００９３】
更に、制御部１は、未読画像データの縮小画像（第２サムネイル画像）を表示パネル３１に表示させる（ステップ＃２１９）。制御部１は、記憶部２に記憶される比較用画像データｉ１の中から未読画像データを抽出する。具体的に、制御部１は、記憶部２の比較用画像データｉ１のうち、処理済マークを印刷した用紙に対応する比較用画像データｉ１と同じジョブの比較用画像データｉ１を抽出する。制御部１は、各比較用画像データｉ１に付された属性情報を参照し、比較用画像データｉ１を抽出する。さらに、制御部１は、抽出した比較用画像データｉ１のうち、搬送用紙画像データと対応すると判定されたことがない比較用画像データｉ１を未読画像データとして抽出する。制御部１は、未読画像データの縮小画像を表示パネル３１に表示させる。同じジョブで読み取った原稿のうち、給紙部８ａにセットされなかった原稿の内容を使用者に示すことができる。処理済マークの印刷漏れを防ぐことができる。ステップ＃２１７がＮｏの場合、及び、ステップ＃２１９の後、制御部１は、本フローの処理を終了する（エンド）。
【００９４】
（比較用画像データｉ１の自動消去）
次に、図９を用いて、実施形態に係る比較用画像データｉ１の自動消去の一例を説明する。図９は、実施形態に係る比較用画像データｉ１の自動消去の一例を示す図である。
【００９５】
制御部１は、比較用画像データｉ１を記憶部２に記憶させる。ジョブを実行するたびに、比較用画像データｉ１が記憶部２に追加される。適宜、比較用画像データｉ１を消去しなければ、最終的に、記憶部２（ストレージ）の空きがなくなる可能性がある。そこで、制御部１は、自動的に比較用画像データｉ１を消去する。ここで、送信ジョブの読取画像データの比較用画像データｉ１の保存期間と、保存ジョブの読取画像データの比較用画像データｉ１の保存期間を異ならせる。
【００９６】
送信ジョブは、送信完了によって、情報を伝えるという目的が達せられる。送信からの経過時間が長くなれば、その送信ジョブの原稿について、マーク印刷モードが利用されにくくなると考えられる。そこで、制御部１は、第１期間のみ、送信ジョブに用いられた読取画像データに基づく比較用画像データｉ１を保持する。
【００９７】
第１期間は予め定められる。例えば、第１期間は、数日〜１週間程度とすることができる。操作パネル３は、第１期間の設定を受け付けてもよい。この場合、制御部１は、設定された期間を第１期間とする。制御部１は、記憶部２（ストレージ）に記憶されてから第１期間が経過した比較用画像データｉ１を自動的に消去する。記憶部２（ストレージ）の空き領域不足を防ぐことができる。
【００９８】
保存ジョブについては、制御部１は、第２期間、読取画像データに基づく比較用画像データｉ１を保持する。第２期間は、保存ジョブによって画像ファイルとともに比較用画像データｉ１が保存されてから、当該画像ファイルが記憶部２から削除（消去）されるまでである。制御部１は、記憶部２（ストレージ）に記憶されてから第２期間が経過した比較用画像データｉ１を自動的に消去する。つまり、比較用画像データｉ１に対応する画像ファイルが削除されると、制御部１は、画像ファイルに対応する比較用画像データｉ１を消去する。
【００９９】
（処理済マークが印刷済みの場合）
次に、図１０を用いて、実施形態に係るマーク印刷モードにて、用紙読取部９が、処理済マークが印刷された用紙を読み取ったときの処理の一例を説明する。図１０は、実施形態に係る処理済マークが印刷された用紙を読み取ったときの処理の一例を示す図である。
【０１００】
マーク印刷モードを用いる場合、給紙部８ａに用紙（原稿）がセットされる。処理済マークが印刷済の用紙が給紙部８ａにセットされる可能性がある。例えば、処理済マークを付していない原稿に、処理済マーク印刷済の原稿が紛れ込むことがある。
【０１０１】
制御部１は、搬送用紙画像データに基づき、処理済マークが印刷済か否かを認識できる。記憶部２（ストレージ）は、処理済マークの画像データを不揮発的に記憶する。制御部１は、処理済マークの画像データと、搬送用紙画像データとのマッチング処理を行う。マッチング処理により、制御部１は、処理済マークが搬送用紙に印刷されているか否かを認識する。
【０１０２】
なお、判定処理の結果、比較用画像データｉ１と搬送用紙が対応すると認識した場合、制御部１は、処理済マークが印刷済でも、再度、用紙に処理済マークを印刷してもよい。処理済マークが印刷済みと認識したとき、制御部１は、処理済マークを画像形成部７に印刷させないようにしてもよい。
【０１０３】
図１０のスタートは、マーク印刷モードにおいて、制御部１が搬送用紙に処理済マークが印刷済と認識した時点である。まず、制御部１は、処理済マークが印刷済みであることを表示パネル３１に表示させる（ステップ＃３１）。制御部１は、「処理済マークが印刷済みです」のようなメッセージを表示パネル３１に表示させてもよい。また、制御部１は、処理済マークが印刷済みの用紙の搬送用紙画像データの縮小画像（サムネイル画像）を表示パネル３１に表示させてもよい。
【０１０４】
次に、制御部１は、処理済マークが印刷された用紙の搬送用紙画像データと対応する比較用画像データｉ１を記憶部２が記憶しているか否かを確認する（ステップ＃３２）。つまり、制御部１は、処理済マークが印刷された用紙に対応する比較用画像データｉ１が消去済か否かを確認する。具体的には、制御部１は判定処理を行う。制御部１は、処理済マークが印刷された用紙の搬送用紙画像データと、記憶部２が記憶している比較用画像データｉ１とを比較する。
【０１０５】
記憶部２が、処理済マークが印刷された用紙の搬送用紙画像データと対応する比較用画像データｉ１を記憶していないとき（ステップ＃３２のＮｏ）、制御部１は、対応する比較用画像データｉ１が消去済であることを表示パネル３１に表示させる（ステップ＃３３）。比較用画像データｉ１が記憶部２に残っていないことを知らせることができる。
【０１０６】
記憶部２が、処理済マークが印刷された用紙の搬送用紙画像データと対応する比較用画像データｉ１を記憶しているとき（ステップ＃３２のＹｅｓ）、制御部１は、記憶部２が対応する比較用画像データｉ１を記憶していることを表示パネル３１に表示させる（ステップ♯３４）。ステップ＃３３又はステップ♯３４の後、制御部１は、本処理を終了する（エンド）。
【０１０７】
このようにして、実施形態に係る画像形成装置（複合機１００）は、原稿読取装置１０２、記憶部２、印刷部１０１、用紙読取部９、制御部１を含む。原稿読取装置１０２はセットされた原稿を読み取る。記憶部２はデータを記憶する。印刷部１０１は、原稿読取装置１０２外に設けられ、印刷ジョブのとき印刷を行う。印刷部１０１は、セットされた用紙を送り出す給紙部８ａと、送り出された用紙を搬送する用紙搬送部６と、搬送用紙に印刷する画像形成部７と、を含む。用紙読取部９は、画像形成部７に進入する前の搬送用紙を読み取る。制御部１は原稿読取装置１０２の読み取りによって得られた読取画像データに基づくジョブを制御する。制御部１は、ジョブに用いた読取画像データに基づく比較用画像データｉ１を記憶部２に記憶させる。制御部１は、セットされた用紙を給紙部８ａに給紙させる。マーク印刷モードのとき、制御部１は、
給紙部８ａから送り出された搬送用紙を用紙読取部９に読み取らせる。用紙読取部９の読み取りによって得られた搬送用紙画像データと比較用画像データｉ１に基づき、制御部１は、搬送用紙が、原稿読取装置１０２によって読取済でありジョブに用いられた原稿である処理済原稿と対応しているか否かを判定する判定処理を行う。搬送用紙が処理済原稿と対応していると判定したとき、制御部１は、搬送用紙への処理済マークの印刷を画像形成部７に行わせる。搬送用紙が処理済原稿と対応しないと判定したとき、制御部１は、搬送用紙への処理済マークの印刷を画像形成部７に行わせない。
【０１０８】
印刷ジョブで印刷を行う印刷部１０１を、原稿に処理済マークを印刷する装置に流用することができる。スタンプのようなマークを付す装置（機構）を設けなくても、原稿に処理済マークを印刷することができる。原稿読取装置１０２と画像形成装置の製造コストを抑えることができる。しかも、原稿読取装置１０２が読取済であり、実際にジョブに用いられた原稿のみに、処理済マークを付すことができる。
【０１０９】
従来のスキャン装置には、全ての原稿に自動的に処理済を示すマークをスタンプするものがある。しかし、重要書類（例えば、契約書）や、他人に送る書類のように、処理済マークを付したくない原稿がある。使用者は、処理済みマークを付したい、又は、付してもよい原稿を給紙部８ａにセットすればよい。使用者は、処理済みマークを付したくない原稿を給紙部８ａにはセットしなければよい。マークを付しても問題がない原稿のみに、処理済マークを付すことができる。
【０１１０】
画像形成装置は画像形成部７を通過した用紙が排出される排出トレイを複数含む。制御部１は、２つの排出トレイのうち、一方の排出トレイに、処理済マークを印刷した搬送用紙を排出させる。制御部１は、２つの排出トレイのうち、他方の排出トレイに、処理済マークを印刷しなかった搬送用紙を排出させる。処理済マークを印刷した用紙（処理済原稿）と、処理済マークを印刷しなかった用紙を自動的に仕分けることができる。どの用紙が読取済と判定できなかった用紙なのか、使用者にわからせることができる。
【０１１１】
画像形成装置は、マーク印刷モードを有効とするか否かの設定を受け付ける操作パネル３を含む。マーク印刷モードが有効の設定のとき、制御部１は、判定処理を行い、判定結果に応じて処理済マークを画像形成部７に印刷させる。マーク印刷モードが無効の設定のとき、制御部１は、判定処理を行わず、処理済マークを画像形成部７に印刷させない。処理済マークを印刷するモードの有効、無効を選択することができる。原稿を給紙部８ａにセットしたときのみ、判定処理と、処理済マークの印刷を画像形成装置に行わせることができる。
【０１１２】
制御部１は、予め定められた第１期間、送信ジョブの処理済原稿の比較用画像データｉ１を記憶部２に記憶させる。第１期間が経過すると、制御部１は、送信ジョブの処理済原稿の比較用画像データｉ１を記憶部２に消去させる。第２期間、制御部１は、保存ジョブの処理済原稿の比較用画像データｉ１を記憶部２に記憶させる。第２期間が経過すると、制御部１は、保存ジョブの処理済原稿の比較用画像データｉ１を記憶部２に消去させる。第２期間は、保存ジョブによって比較用画像データｉ１に対応する画像ファイルが保存されてから、当該画像ファイルが記憶部２から削除されるまでである。古くなった比較用画像データｉ１を自動的に消去することができる。記憶部２の記憶領域の空き不足を生じないようにすることができる。
【０１１３】
画像形成装置は比較用画像データｉ１の指定を受け付ける操作パネル３を含む。比較用画像データｉ１が指定されているとき、制御部１は、搬送用紙画像データと、指定された比較用画像データｉ１のみを比較して、判定処理を行う。比較用画像データｉ１が指定されていないとき、制御部１は、搬送用紙画像データと、指定されなかった比較用画像データｉ１を比較して、判定処理を行う。比較用画像データｉ１が指定されていないとき、制御部１は、比較用画像データｉ１が指定されているときよりも、遅い搬送速度で搬送用紙を用紙搬送部６に搬送させる。比較用画像データｉ１が指定されているとき、指定された比較用画像データｉ１と搬送用紙画像データを比較すればよい。処理時間は短くてすむ。一方、比較用画像データｉ１が指定されていないとき、多数の比較用画像データｉ１と搬送用紙画像データを比較する場合がある。この場合、判定処理に時間を要する。そこで、比較用画像データｉ１が指定されていないとき、搬送速度を遅くする。多数の比較用画像データｉ１と搬送用紙画像データを比較する時間を稼ぐことができる。搬送用紙が画像形成部７に進入する前に、搬送用紙が読取済の原稿か否かの判定を行うことができる。
【０１１４】
画像形成装置は、画像形成部７を通過した用紙の表裏を逆転させ、用紙読取部９よりも用紙搬送方向上流側に用紙を送り返す両面搬送部８ｃを含む。また、画像形成装置は、マーク印刷モードの両面モードの選択を受け付ける操作パネル３を含む。両面モードが選択されている場合、制御部１は、給紙部８ａにセットされた用紙を給紙部８ａに給紙させる。制御部１は、給紙部８ａから送り出された搬送用紙の一面を、用紙読取部９に読み取らせる。一面の搬送用紙画像データと、比較用画像データｉ１に基づき、制御部１は、搬送用紙の一面が、処理済原稿と対応しているか否かを判定する。一面が処理済原稿と対応していると判定したとき、制御部１は、一面への処理済マークの印刷を画像形成部７に行わせる。一面が処理済原稿と対応しないと判定したとき、制御部１は、一面への処理済マークの印刷を画像形成部７に行わせない。制御部１は、一面を読み取った搬送用紙を両面搬送部８ｃに搬送させる。制御部１は、両面搬送部８ｃが送り返した搬送用紙の他面を、用紙読取部９に読み取らせる。他面の搬送用紙画像データと、比較用画像データｉ１に基づき、制御部１は、搬送用紙の他面が、処理済原稿と対応しているか否かを判定する。他面が処理済原稿と対応していると判定したとき、制御部１は、他面への処理済マークの印刷を画像形成部７に行わせる。他面が処理済原稿と対応しないと判定したとき、制御部１は、他面への処理済マークの印刷を画像形成部７に行わせない。搬送用紙の一面（表面）と他面（裏面）のそれぞれについて、読取済か否かを判定することができる。一面と他面のうち、読取済と判定できた面にのみ、処理済マークを印刷することができる。
【０１１５】
画像形成装置は、表示パネル３１を含む。搬送用紙画像データが処理済マークの画像を含むとき、制御部１は、既に処理済マークが印刷済であることを表示パネル３１に表示させる。すでに処理済マークが印刷されていることを知らせることができる。処理済マークが印刷されているので、給紙部８ａにセットした用紙（原稿）が読取済であることも、使用者に気づかせることができる。
【０１１６】
搬送用紙画像データが処理済マークの画像を含むが、搬送用紙が処理済原稿と対応しないと判定した場合、制御部１は、比較用画像データｉ１が消去済であることを表示パネル３１に表示させる。読み取った搬送用紙（原稿）に対応する比較用画像データｉ１が消去（削除）済みであることを、使用者に知らせることができる。比較用画像データｉ１が消去されるほど前に、原稿を読み取っていたことを使用者に知らせることができる。
【０１１７】
マーク印刷モードでの処理において、給紙した１枚目の用紙から最後の用紙までの間に、処理済原稿に対応する用紙と、処理済原稿に対応しない用紙と、が混在した場合、制御部１は、記憶部２が記憶する比較用画像データｉ１の中から未読画像データを抽出する。制御部１は、未読画像データの縮小画像を表示パネル３１に表示させる。未読画像データは、処理済マークを印刷した用紙に対応する比較用画像データｉ１と同じジョブの比較用画像データｉ１である。
未読画像データは、搬送用紙画像データと対応すると判定されたことがない比較用画像データｉ１でもある。同じジョブで読み取った原稿のうち、用紙読取部９が読み取らなかった原稿を使用者に知らせることができる。同じジョブで読み取った原稿のうち、処理済マークを付し忘れのおそれがある原稿を知らせることができる。
【０１１８】
以上、本発明の実施形態を説明したが、本発明の範囲はこれに限定されず、発明の主旨を逸脱しない範囲で種々の変更を加えて実施することができる。
【産業上の利用可能性】
【０１１９】
本発明は、画像形成装置に利用可能である。
【符号の説明】
【０１２０】
１００  複合機（画像形成装置）          １０１  印刷部
１０２  原稿読取装置                    １      制御部
２      記憶部                          ３      操作パネル
３１    表示パネル                      ６      用紙搬送部
７      画像形成部                      ８ａ    給紙部
８３ａ  第１排出トレイ                  ８３ｂ  第２排出トレイ
８ｃ    両面搬送部                      ９      用紙読取部
ｉ１    比較用画像データ
【図１】
2022003374.tif 000003
【図２】
2022003374.tif 000004
【図３】
2022003374.tif 000005
【図４】
2022003374.tif 000006
【図５】
2022003374.tif 000007
【図６】
2022003374.tif 000008
【図７】
2022003374.tif 000009
【図８】
2022003374.tif 000010
【図９】
2022003374.tif 000011
【図１０】
2022003374.tif 000012